(57)【要約】【課題】交換部品の情報及びその設置現場の位置情報をより正確に収集して蓄積可能とすること。【解決手段】保守端末は、既定の現場ごとの既定の位置情報と端末位置情報とが特定の条件を満たす場合、部品情報読取部によって読み取られた部品情報としての交換部品情報を、既定の現場ごとの既定の位置情報に対応付けて情報管理装置に登録する。【選択図】図１
2018156529.tif 000002
【特許請求の範囲】
【請求項１】
保守作業において交換されうる部品に関する部品情報を管理するエレベーター交換部品管理装置であって、
既定の現場ごとの既定の位置情報を管理する現場位置情報管理テーブルと、
前記既定の現場ごとの既定の位置情報に対応付けて、交換部品情報を管理する部品情報テーブルと、
保守員が携帯する保守端末の端末位置情報を取得する端末位置検出部と、
前記保守端末で読み取られた前記交換部品情報を取得する部品情報読取部と、
前記現場位置情報管理テーブルと前記部品情報テーブルに基づいて、取得された前記端末位置情報及び前記交換部品情報を比較する位置情報判定部と、
前記端末位置情報及び前記交換部品情報とが特定の条件を満たす場合に、前記保守端末で読み取られた前記交換部品情報を記憶部に登録する部品情報収集部と、
を備えることを特徴とするエレベーター交換部品管理装置。
【請求項２】
保守作業において交換されうる部品に関する部品情報を管理する情報管理装置と、前記保守作業の際に携帯される保守端末と、を備えるエレベーター交換部品管理システムであって、
前記情報管理装置は、
既定の現場ごとの既定の位置情報を管理しており、
前記保守端末は、
現在地を測位して端末位置情報を取得する端末位置検出部と、
部品に付された部品情報を読み取り可能な部品情報読取部と、
前記情報管理装置から取得した前記既定の現場ごとの既定の位置情報と、前記端末位置検出部によって取得された端末位置情報を比較する位置情報判定部と、
前記既定の現場ごとの既定の位置情報と前記端末位置情報とが特定の条件を満たす場合、前記部品情報読取部によって読み取られた部品情報としての交換部品情報を、前記既定の現場ごとの既定の位置情報に対応付けて前記情報管理装置に登録する部品情報収集部と、
を備えることを特徴とするエレベーター交換部品管理システム。
【請求項３】
前記情報管理装置は、
前記既定の現場ごとの既定の位置情報を管理する現場位置情報管理テーブルと、
前記既定の現場ごとの既定の位置情報に対応付けて、前記交換部品情報を管理する部品情報テーブルと、を備え、
前記保守端末では、前記特定の条件を満たす場合、
前記部品情報収集部が、前記部品情報テーブルに対して、前記交換部品情報を、前記既定の現場ごとの既定の位置情報に対応付けて前記情報管理装置に登録する
ことを特徴とする請求項２に記載のエレベーター交換部品管理システム。
【請求項４】
前記位置情報判定部は、
前記特定の条件として、前記既定の位置情報による位置と前記端末位置情報による位置とが一定距離内でない場合、前記情報管理装置に対する前記交換部品情報の登録を規制することを特徴とする請求項２に記載のエレベーター交換部品管理システム。
【請求項５】
前記保守端末は、
各種情報を表示する表示装置を備え、
前記特定の条件を満たさない場合、前記表示装置に、前記情報管理装置に対する前記交換部品情報の登録を規制する旨を表示する
ことを特徴とする請求項２に記載のエレベーター交換部品管理システム。
【請求項６】
保守作業において交換されうる部品に関する部品情報を管理する情報管理装置と、前記保守作業の際に携帯される保守端末と、を備えるエレベーター交換部品管理システムにおける交換部品管理方法であって、
前記情報管理装置が、既定の現場ごとの既定の位置情報を管理する既定現場位置情報管理ステップと、
前記保守端末が、現在地を測位して端末位置情報を取得する端末位置検出ステップと、
前記保守端末が、部品に付された部品情報を読み取り可能な部品情報読取ステップと、
前記保守端末が、前記情報管理装置から取得した前記既定の現場ごとの既定の位置情報と、前記端末位置検出ステップにおいて取得された端末位置情報を比較する位置情報判定ステップと、
前記既定の現場ごとの既定の位置情報と前記端末位置情報とが特定の条件を満たす場合、前記保守端末が、前記部品情報読取ステップにおいて読み取られた部品情報としての交換部品情報を、前記既定の現場ごとの既定の位置情報に対応付けて前記情報管理装置に登録する部品情報収集ステップと、
を有することを特徴とするエレベーター交換部品管理システムにおける交換部品管理方法。
【請求項７】
保守作業の際に携帯される保守端末であって、
現在地を測位して端末位置情報を取得する端末位置検出部と、
部品に付された部品情報を読み取り可能な部品情報読取部と、
既定の現場ごとの既定の位置情報と、前記端末位置検出部によって取得された端末位置情報を比較する位置情報判定部と、
前記既定の現場ごとの既定の位置情報と前記端末位置情報とが特定の条件を満たす場合、前記部品情報読取部によって読み取られた部品情報としての交換部品情報を、前記既定の現場ごとの既定の位置情報に対応付けて登録を指令する部品情報収集部と、
を備えることを特徴とする保守端末。
【発明の詳細な説明】
【技術分野】
【０００１】
本発明は、エレベーター交換部品管理装置、エレベーター交換部品管理システム、エレベーター交換部品管理システムにおける交換部品管理方法、及び保守端末に関し、特に、例えばエレベーターの保守作業時に交換された部品の情報を収集し管理するエレベーター交換部品管理システムに適用して好適なものである。
【背景技術】
【０００２】
従来よりエレベーターの保守点検作業においては、作業者がノートパソコンなどの携帯端末装置を保守端末として携帯し、様々な現場情報や作業情報を入力し、保守作業に関する情報を蓄積している。
【０００３】
例えば、従来の携帯端末装置は、作業現場の一例としての街路灯に設けられているＩＣタグから現場設備特定情報を読み取るＩＣタグリーダを備えているとともに、ＧＰＳ衛星からの測位用電波を受信して緯度経度情報を出力するＧＰＳレシーバを備えている。作業者は、このような携帯端末装置を用いて、そのＧＰＳレシーバによって緯度経度情報を取得して当該街路灯の登録位置と一致しているとみなせるか否かを判定し、一致しているとみなせる場合には、当該街路灯が、ランプなどの交換部品が取り付けられるべき街路灯であると確認することができる（特許文献１参照）。
【先行技術文献】
【特許文献】
【０００４】
【特許文献１】特開２００７−２０００１５号公報
【発明の概要】
【発明が解決しようとする課題】
【０００５】
上述のような従来の手法では、交換部品が実際に対象となる作業現場に取り付けられたかどうかについては判別することができない。作業スケジュールの都合により、別の作業現場において使用される可能性があったり、同種の部品であっても別の製造ロットの部品が使用される可能性もあり、確実に対象の交換部品が予定の作業現場において取り付けられる保証は無い。これでは交換対象の部品の情報を収集する意味が無くなってしまう。
【０００６】
本発明は以上の点を考慮してなされたもので、交換部品の情報及びその設置現場の位置情報をより正確に収集して蓄積可能なエレベーター交換部品管理装置、エレベーター交換部品管理システム、エレベーター交換部品管理システムにおける交換部品管理方法、及び保守端末を提案しようとするものである。
【課題を解決するための手段】
【０００７】
かかる課題を解決するために、本発明においては、保守作業において交換されうる部品に関する部品情報を管理するエレベーター交換部品管理装置であって、既定の現場ごとの既定の位置情報を管理する現場位置情報管理テーブルと、前記既定の現場ごとの既定の位置情報に対応付けて、交換部品情報を管理する部品情報テーブルと、保守員が携帯する保守端末の端末位置情報を取得する端末位置検出部と、前記保守端末で読み取られた前記交換部品情報を取得する部品情報読取部と、前記現場位置情報管理テーブルと前記部品情報テーブルに基づいて、取得された前記端末位置情報及び前記交換部品情報を比較する位置情報判定部と、前記端末位置情報及び前記交換部品情報とが特定の条件を満たす場合に、前記保守端末で読み取られた前記交換部品情報を記憶部に登録する部品情報収集部と、を備えることを特徴とする。
【０００８】
かかる課題を解決するため、本発明においては、保守作業において交換されうる部品に関する部品情報を管理する情報管理装置と、前記保守作業の際に携帯される保守端末と、を備えるエレベーター交換部品管理システムであって、前記情報管理装置は、既定の現場ごとの既定の位置情報を管理しており、前記保守端末は、現在地を測位して端末位置情報を取得する端末位置検出部と、部品に付された部品情報を読み取り可能な部品情報読取部と、前記情報管理装置から取得した前記既定の現場ごとの既定の位置情報と、前記端末位置検出部によって取得された端末位置情報を比較する位置情報判定部と、前記既定の現場ごとの既定の位置情報と前記端末位置情報とが特定の条件を満たす場合、前記部品情報読取部によって読み取られた部品情報としての交換部品情報を、前記既定の現場ごとの既定の位置情報に対応付けて前記情報管理装置に登録する部品情報収集部と、を備えることを特徴とする。
【０００９】
また、本発明においては、保守作業において交換されうる部品に関する部品情報を管理する情報管理装置と、前記保守作業の際に携帯される保守端末と、を備えるエレベーター交換部品管理システムにおける交換部品管理方法であって、前記情報管理装置が、既定の現場ごとの既定の位置情報を管理する既定現場位置情報管理ステップと、前記保守端末が、現在地を測位して端末位置情報を取得する端末位置検出ステップと、前記保守端末が、部品に付された部品情報を読み取り可能な部品情報読取ステップと、前記保守端末が、前記情報管理装置から取得した前記既定の現場ごとの既定の位置情報と、前記端末位置検出ステップにおいて取得された端末位置情報を比較する位置情報判定ステップと、前記既定の現場ごとの既定の位置情報と前記端末位置情報とが特定の条件を満たす場合、前記保守端末が、前記部品情報読取ステップにおいて読み取られた部品情報としての交換部品情報を、前記既定の現場ごとの既定の位置情報に対応付けて前記情報管理装置に登録する部品情報収集ステップと、を有することを特徴とする。
【００１０】
また、本発明においては、保守作業の際に携帯される保守端末であって、現在地を測位して端末位置情報を取得する端末位置検出部と、部品に付された部品情報を読み取り可能な部品情報読取部と、既定の現場ごとの既定の位置情報と、前記端末位置検出部によって取得された端末位置情報を比較する位置情報判定部と、前記既定の現場ごとの既定の位置情報と前記端末位置情報とが特定の条件を満たす場合、前記部品情報読取部によって読み取られた部品情報としての交換部品情報を、前記既定の現場ごとの既定の位置情報に対応付けて登録を指令する部品情報収集部と、を備えることを特徴とする。
【発明の効果】
【００１１】
本発明によれば、交換部品の情報及びその設置現場の位置情報をより正確に収集して蓄積することができる。
【図面の簡単な説明】
【００１２】
【図１】本実施の形態によるエレベーター交換部品管理システムの概略構成の一例を示すブロック図である。
【図２】図１に示す作業情報テーブルの一例を示す図である。
【図３】図１に示す現場位置情報テーブルの一例を示す図である。
【図４】図１に示す部品情報テーブルの一例を示す図である。
【図５】本実施の形態による部品情報収集処理の一例を示すシーケンスチャートである。
【図６】画面表示例を示す図である。
【発明を実施するための形態】
【００１３】
以下、図面について、本発明の一実施の形態について詳述する。
（１）本実施の形態によるエレベーター交換部品管理システムの構成
図１は、本実施の形態におけるエレベーター交換部品管理システムの一例を示すシステム構成図である。エレベーターの保守点検作業において作業者は、携帯している保守端末１００を操作しながら作業スケジュールに従って通常１日に複数の現場を巡回して必要な場合には部品の交換などの作業を実施する。
【００１４】
この保守端末１００は、各種情報を表示する表示装置１０１と、保守端末１００の位置情報を検出する端末位置検出部１０２と、部品から部品情報を読み取る部品情報読取部１０４と、センタシステム２００との通信を行う通信部１０３と、を備える。
【００１５】
部品情報読取部１０４は、例えば、部品に貼り付けられたバーコードを読み取り可能なバーコードリーダーである。このバーコードには、部品の識別番号としての部品番号を含んでいるとともに、この部品番号が表す部品のロットを表すロット番号を含んでいる。なお、バーコードを読み取る手段としては、例えば、保守端末１００が内蔵するカメラを利用してもよいし、その代わりに、保守端末１００とは別途、部品のバーコードを読み取り可能な専用装置を設けても良い。
【００１６】
センタシステム２００は、保守端末１００と通信する通信部２０１と、制御部２０２と、テーブルを格納可能な記憶部２１０とを備える。記憶部２１０には、作業スケジュール及び作業内容が蓄積される作業情報テーブル２１１と、現場毎の位置情報が蓄積される現場位置情報テーブル２１２と、保守端末１００から送信される部品情報が蓄積される部品情報テーブル２１３とが格納されている。
【００１７】
作業情報テーブル２１１は、図２に示すように、そのカラムとして、作業日２１１Ａ、作業者２１１Ｂ、顧客番号２１１Ｃ、製造番号２１１Ｄ、作業番号２１１Ｅ、及び号機２１１Ｆを備えている。
【００１８】
作業日２１１Ａは、作業を実施する日を表している。作業者２１１Ｂは、当該作業を実施する作業者名を表している。顧客番号２１１Ｃは、作業対象のエレベーターを保有する顧客の識別情報を表している。製造番号２１１Ｄは、当該エレベーターの製造番号を表している。作業番号２１１Ｅは、上記作業を他の作業との識別情報を表している。号機２１１Ｆは、上記顧客における上記作業対象のエレベーターの号機を表している。
【００１９】
現場位置情報テーブル２１２は、図３に示すように、そのカラムとして、顧客番号２１２Ａ、製造番号２１２Ｂ、位置情報２１２Ｃ、及び号機２１２Ｄを有する。顧客番号２１２Ａは、図２に示す作業情報テーブル２１１の顧客番号２１１Ｃに関係づけられている。製造番号２１２Ｂは、図２に示す作業情報テーブル２１１の製造番号２１１Ｄに関係づけられている。位置情報２１２Ｃは、現場の位置を表している。号機２１２Ｄは、図２に示す作業情報テーブル２１１の号機２１１Ｆに関連付けられている。
【００２０】
部品情報テーブル２１３は、図４に示すように、そのカラムとして、顧客番号２１３Ａ、製造番号２１３Ｂ、部品番号２１３Ｃ、ロット番号２１３Ｄ、作業番号２１３Ｅ、作業日２１３Ｆ、作業者２１３Ｇ、及び号機２１３Ｈを備えている。
【００２１】
顧客番号２１３Ａは、図２に示す作業情報テーブル２１１の顧客番号２１１Ｃ及び図３に示す現場位置情報テーブル２１２の顧客番号２１２Ａに関連付けられている。製造番号２１３Ｂは、図２に示す作業情報テーブル２１１の顧客番号２１１Ｃ及び図３に示す現場位置情報テーブル２１２の顧客番号２１２Ａに関連付けられている。
【００２２】
部品番号２１３Ｃは、部品に対応付けられた部品番号を表している。各部品には、当該部品番号を表すバーコードが付されている。ロット番号２１３Ｄは、部品番号２１３Ｃが表す部品のロット番号を表している。
【００２３】
作業番号２１３Ｅは、図２に示す作業情報テーブル２１１の作業番号２１１Ｅに関連付けられている。作業日２１３Ｆは、部品番号２１３Ｃが表す部品の交換を伴う作業が実施された日にちを表す。作業者２１３Ｇは、当該作業を実施した作業者名を表している。号機２１３Ｈは、図２に示す作業情報テーブル２１１の号機２１１Ｆ及び図３に示す現場位置情報テーブル２１２の号機２１２Ｄに関連付けられている。
【００２４】
保守端末１００は、センタシステム２００との通信機能や表示装置１０１への作業情報の表示機能など、エレベーターの保守点検作業に必要な各種機能を備えた業務アプリケーション１１０を備える。
【００２５】
記憶部１２０には、センタシステム２００から取得した作業情報１２１及び現場位置情報１２２と、端末位置検出部１０２によって取得された保守端末１００の端末位置情報１２３と、交換部品に貼り付けられたバーコードから読取った情報に対象エレベーター（図示せず）の製造番号、作業年月日等の作業情報を付加した交換部品情報１２４と、が格納されている。
【００２６】
交換部品情報１２４には、対象エレベーター（図示せず）の製造番号、作業年月日、部品番号、部品の製造年月、部品の製造ロット番号などが含まれる。
【００２７】
保守端末１００を所持する作業者は、業務アプリケーション１１０を起動し、作業情報１２１に従って保守点検作業を実施する。この業務アプリケーション１１０は、部品情報収集部１１１及び位置情報判定部１１２を有する。
【００２８】
部品情報収集部１１１は、部品情報読取部１０４によって部品のバーコードが読み取られて得られた部品情報を、交換部品情報１２４として保守端末１００の記憶部１２０に一時的に格納する。
【００２９】
位置情報判定部１１２は、部品のバーコードから部品情報を読取った際にセンタシステム２００から取得した現場位置情報１２２と、端末位置情報１２３とを比較し、当該部品が、現場位置情報１２２が表す本来の使用位置において使用されたか否かを判定する。
【００３０】
（２）部品情報収集処理
以下、図１〜図５を参照しつつ本実施の形態による部品情報収集処理の一例について説明する。保守端末１００を所持する作業者は、業務アプリケーション１１０を起動して操作することにより、保守端末１００はセンタシステム２００の作業情報テーブル２１１から作業情報１２１を取得し、これを記憶部１２０に格納する（ステップＳ３０１）。
【００３１】
以降、作業者は、表示装置１０１にて作業情報１２１を参照しながら作業を実施する。作業者が業務アプリケーション１１０を操作することで、作業情報１２１に基づいて、作業対象の現場、エレベーターの号機及び製造番号を選択し、業務アプリケーション１１０の部品情報収集部１１１が起動される（ステップＳ３０２）。
【００３２】
部品情報収集部１１１は、部品情報読取部１０４に、交換部品に予め貼り付けられたバーコードを読み取らせる（ステップＳ３０３）。この際、部品情報収集部１１１は、センタシステム２００に対し、選択されている作業対象の現場を特定する識別情報として、例えば顧客番号を送信し、当該現場の現場位置情報１２２を要求する（ステップＳ３０４）。
【００３３】
センタシステム２００では、制御部２０２が、現場位置情報テーブル２１２を検索し、上記受信した顧客番号と一致する現場位置情報１２２を、保守端末１００へ返信する（ステップＳ３０５）。
【００３４】
保守端末１００では、業務アプリケーション１１０が、記憶部１２０に、受信した現場位置情報１２２を格納する（ステップＳ３０６）。この業務アプリケーション１１０は、端末位置検出部１０２によって、上記取得した保守端末１００の端末位置情報１２３を記憶部１２０に格納する（ステップＳ３０７）。
【００３５】
次に業務アプリケーション１１０は、位置情報判定部１１２によって、記憶部１２０に格納した現場位置情報１２２と、端末位置情報１２３とを比較することで、現場位置情報１２２が表す位置と端末位置情報１２３が表す位置とが一定距離内であるか否かについて判定を実施する（ステップＳ３０８，Ｓ３０９）。
【００３６】
上述した現場位置情報１２２が表す位置と端末位置情報１２３が表す位置とが一定距離内であると判定された場合、業務アプリケーション１１０は、読み取ったバーコードの部品情報を、交換部品情報１２４として記憶部１２０に格納する（ステップＳ３１０）。
【００３７】
ここで、上述した「一定距離」とは、エレベーター機械室またはエレベーター乗り場近傍での作業を想定し、例えば１０ｍ程度である。エレベーターや機械室の設置形態に応じて現場毎に異なる距離を設定するようにしてもよい。また、機械室が上部に設けられている設備の場合には、測位精度が良いため、当該「一定距離」内であるか否かの判定をより厳密に実施する一方、機械室が下部に設けられている設備の場合には、測位精度が悪いため、当該「一定距離」内であるか否かの判定をより厳密に実施するようにしても良い。
【００３８】
現場位置情報１２２と端末位置情報１２３とが位置的に一定距離内でないと判定された場合は、業務アプリケーション１１０は、表示装置１０１にエラーメッセージを表示し、交換部品情報１２４を記憶部１２０に格納しない（ステップＳ３１１）。
【００３９】
このエラーメッセージの内容としては、例えば、図６に示す画面例のように「現在の位置は、交換対象現場の位置と一致していないため、交換部品情報を登録できません。部品交換を行うべき本来の現場で、交換部品情報を登録してください」のような文言である。
【００４０】
記憶部１２０に格納された交換部品情報１２４は、業務アプリケーション１１０にて保守端末１００からセンタシステム２００へ送信され、部品情報テーブル２１３に蓄積される（ステップＳ３１２）。
【００４１】
なお、交換部品情報１２４のセンタシステム２００への送信は、現地から実施しても良いし、その代わりに、当日の全ての作業終了後、作業者が事務所へ帰着した際に、他の作業結果データとともに送信しても良い。
【００４２】
本実施の形態では、エレベーターの部品交換作業を例示したが、これに限られず、エスカレータなど他の形態の昇降機でも同様に適用することができる。
【００４３】
なお、部品情報の読取り手段は、本実施の形態において既に説明したバーコード（一次元、二次元）の他、ＩＣタグなど他の手段でもよい。保守端末１００の位置情報の取得手段は、本実施の形態において既に説明したＧＰＳ（Ｇｌｏｂａｌ  Ｐｏｓｉｔｉｏｎｉｎｇ  Ｓｙｓｔｅｍ）などの測位システムの他、現場に予め貼り付けた、顧客番号など現場固有の情報を含んだ一次元バーコードまたは二次元バーコードを読み取ること、またはエレベーターのマイコンや監視装置から、製造番号など当該エレベーター固有の情報を読み取るなど、保守端末１００が現場に存在することが確認できる手段で行ってもよい。
【００４４】
現場位置情報１２２の取得は、前記実施例では部品情報収集部１１１がバーコードを読み取るときにセンタシステム２００へ要求しているが、処理ステップＳ３０１にて作業情報１２１を取得するときに、作業スケジュールに合わせて同時に取得し、予め記憶部１２０に格納しておいてもよい。
【００４５】
これにより、エレベーター保守現場における交換部品情報を収集する際に、交換部品及びその設置現場の位置情報を確実に収集して蓄積し、交換部品の設置後であっても当該交換部品及びその設置現場の位置を正確に追跡することができる。
【００４６】
（３）その他の実施形態
上記実施形態は、本発明を説明するための例示であり、本発明をこれらの実施形態にのみ限定する趣旨ではない。本発明は、その趣旨を逸脱しない限り、様々な形態で実施することができる。例えば、上記実施形態では、各種プログラムの処理をシーケンシャルに説明したが、特にこれにこだわるものではない。従って、処理結果に矛盾が生じない限り、処理の順序を入れ替え又は並行動作するように構成しても良い。
【産業上の利用可能性】
【００４７】
本発明は、例えば、エレベーターの保守作業時に交換された部品の情報を収集し管理するエレベーター交換部品管理装置、エレベーター交換部品管理システム、エレベーター交換部品管理システムにおける交換部品管理方法、及び保守端末に広く適用することができる。
【符号の説明】
【００４８】
１００……保守端末、１０１……表示装置、１０２……端末位置検出部、１０３……通信部、１０４……部品情報読取部、１１０……業務アプリケーション、１１１……部品情報収集部、１１２……位置情報判定部、１２０……記憶部、１２１……作業情報、１２２……現場位置情報、１２３……端末位置情報、１２４……交換部品情報、２００……センタシステム、２０１……通信部、２１０……記憶部、２１１……作業情報テーブル、２１２……現場位置情報テーブル、２１３……部品情報テーブル。
【図１】
2018156529.tif 000003
【図２】
2018156529.tif 000004
【図３】
2018156529.tif 000005
【図４】
2018156529.tif 000006
【図５】
2018156529.tif 000007
【図６】
2018156529.tif 000008